(57)【要約】【課題】側壁が破損して中詰材が流出したケーソンを潜水作業を軽労化し、容易にかつ確実に補修可能とするケーソンの補修方法およびこれに用いる補修体を提供する。【解決手段】ケーソン１の上面から隔室１０に作業者が往来可能な貫通穴７を穿設し、この貫通穴７から隔室１０に、芯棒１１に一端部を固定して巻回した土木シート１３を複数搬入し、複数の土木シート１３をそれぞれ展開して隔室１０の四方それぞれの壁面Ｗに張設し、端部どうしをファスナで連結して隔室１０の壁面Ｗに沿った筒状に形成して破損部５を塞いだ後に、この隔室１０にコンクリートＣを打設する。【選択図】    図３
2006219851.tif 000002
【特許請求の範囲】
【請求項１】
側壁が破損して、隔室に収容した中詰材がこの破損部から流出したケーソンの補修方法であって、前記ケーソンの上面から前記隔室に作業者が往来可能な貫通穴を穿設し、該貫通穴から前記隔室に芯棒に一端部を固定して巻回した土木シートを搬入し、該搬入した土木シートを展開して、前記隔室の壁面に張設して前記破損部を塞いだ後に、この隔室にコンクリートを打設するケーソンの補修方法。
【請求項２】
前記隔室に前記芯棒に一端部を固定して巻回した土木シートを複数搬入し、該複数の土木シートをそれぞれ展開して前記隔室のそれぞれの壁面に張設し、端部どうしを連結して前記隔室の壁面に沿った筒状に形成して、前記破損部を塞ぐ請求項１に記載のケーソンの補修方法。
【請求項３】
前記それぞれの土木シートの両端部にファスナを設け、該ファスナで端部どうしを連結して筒状に形成する請求項２に記載のケーソンの補修方法。
【請求項４】
前記破損部をケーソンの側壁の外側から防波板で覆ってから前記土木シートを前記隔室に搬入する請求項１〜３のいずれかに記載のケーソンの補修方法。
【請求項５】
側壁が破損して、隔室に収容した中詰材がこの破損部から流出したケーソンの補修に用いる補修体であって、両端部にファスナを有し、コンクリートを保持可能な複数の土木シートを備え、該複数の土木シートは、前記隔室のそれぞれの壁面に張設され、端部どうしを前記ファスナで互いに連結されて前記隔室の壁面に沿った筒状に形成されて、前記破損部を塞ぐことを可能とする補修体。
【請求項６】
前記複数の土木シートのうち一枚の土木シートの引張り強度を他の土木シートよりも高くした請求項５に記載の補修体。
【発明の詳細な説明】
【技術分野】
【０００１】
本発明は、ケーソンの補修方法およびこれに用いる補修体に関し、さらに詳しくは、潜水作業を軽労化し、容易にかつ確実に側壁が破損して中詰材が流出したケーソンを補修可能とするケーソンの補修方法およびこれに用いる補修体に関するものである。
【背景技術】
【０００２】
ケーソンの港外側には、消波ブロックが配置されているが、この消波ブロックは波力によって動かされて、ケーソンの側壁に衝突して側壁を破損させることがある。このような破損を図８〜９に例示したケーソン１に基づいて説明する。
【０００３】
ケーソン１の内部は隔壁４で仕切られ、複数の隔室１０が設けられている。それぞれの隔室１０には中詰材Ｓが収容され、ケーソン１の上面は上部コンクリート６で覆われている。図９では左側が港外側で、右側が港内側となっており、ケーソン１の港内側側壁３側には消波ブロック１８は配置されないが、港外側側壁２には壁面に沿って消波ブロック１８が配置されるため、波力で移動した消波ブロック１８が港外側側壁２に衝突して側壁２が破損し、この破損部５が隔室１０まで達すると中詰材Ｓが外部に流出することになる。
【０００４】
ケーソン１は、安定して設置するために内部に十分な重量の中詰材Ｓを収容しているが、中詰材Ｓの流出が進行して重量が大幅に減少するとケーソン１の安定性が損なわれるため、小さな破損部５であっても、確実に補修して十分な重量を確保する補修方法が必要となる。
【０００５】
ケーソンの補修に関しては、連設されたケーソンどうしの目地に隙間が生じた際にこの隙間を補修する方法が提案されている（特許文献１参照）。この提案では、隙間に沿って袋材を配置して、この袋材の内部に硬化材を注入して硬化させてケーソンの目地の隙間を塞ぐようにしている。
【０００６】
しかしながら、消波ブロックが配置されている側壁に沿ってこの提案されている補修材を配置するのは困難であり、また、破損部をこの補修材で完全に塞ぎきれないという問題がある。さらに、この提案では流出した中詰材の重量を補完してケーソンの安定性を確保することはできず、ケーソンを補修するための新たな手段が必要であった。
【特許文献１】特開２００３−４１５４９号公報
【発明の開示】
【発明が解決しようとする課題】
【０００７】
本発明の目的は、側壁が破損して中詰材が流出したケーソンを潜水作業を軽労化し、容易にかつ確実に補修可能とするケーソンの補修方法およびこれに用いる補修体を提供することにある。
【課題を解決するための手段】
【０００８】
上記目的を達成するため本発明のケーソンの補修方法は、側壁が破損して、隔室に収容した中詰材がこの破損部から流出したケーソンの補修方法であって、前記ケーソンの上面から前記隔室に作業者が往来可能な貫通穴を穿設し、該貫通穴から前記隔室に芯棒に一端部を固定して巻回した土木シートを搬入し、該搬入した土木シートを展開して、前記隔室の壁面に張設して前記破損部を塞いだ後に、この隔室にコンクリートを打設することを特徴とするものである。
【０００９】
また、本発明の補修体は、側壁が破損して、隔室に収容した中詰材がこの破損部から流出したケーソンの補修に用いる補修シートであって、両端部にファスナを有し、コンクリートを保持可能な複数の土木シートを備え、該複数の土木シートは、前記隔室のそれぞれの壁面に張設され、端部どうしを前記ファスナで互いに連結されて前記隔室の壁面に沿った筒状に形成されて、前記破損部を塞ぐことを可能とすることを特徴とするものである。
【発明の効果】
【００１０】
本発明のケーソンの補修方法によれば、側壁が破損して、隔室に収容した中詰材がこの破損部から流出したケーソンの補修方法であって、ケーソンの上面から隔室に作業者が往来可能な貫通穴を穿設し、この貫通穴から隔室に芯棒に一端部を固定して巻回した土木シートを搬入し、搬入した土木シートを展開して、隔室の壁面に張設して破損部を塞ぐので、作業者の潜水作業は、波の影響が少ない隔室のみで行われて安全である。また、芯棒に一端部を巻回した土木シートを固定しているので、面積の大きい土木シートでも容易に搬入することができ、搬入した後に土木シートを展開して隔室の壁面に張設して破損部を塞ぐだけなので、作業の軽労化を図ることができる。
【００１１】
さらに、破損部を土木シートで塞いだ後にコンクリートを打設するので、容易にかつ確実に破損部を塞いで、流出した中詰材をコンクリートで補完してケーソンを所定重量にして安定させて補修を完了させることができる。
【００１２】
本発明の補修体によれば、側壁が破損して、隔室に収容した中詰材がこの破損部から流出したケーソンの補修に用いる補修体であって、両端部にファスナを有し、コンクリートを保持可能な複数の土木シートを備え、この複数の土木シートは、隔室のそれぞれの壁面に張設され、端部どうしをファスナで互いに連結されて隔室の壁面に沿った筒状に形成されて、破損部を塞ぐことを可能とするので、上記した本発明のケーソンの補修方法に用いることができ、この補修方法による効果を得ることができる。即ち、潜水作業を軽労化し、容易にかつ確実に破損部を塞いで、コンクリートで補完してケーソンを所定重量にして安定させるように補修することができる。
【発明を実施するための最良の形態】
【００１３】
以下、本発明のケーソンの補修方法およびこれに用いる補修体を図に示した実施形態に基づいて説明する。
【００１４】
図８〜９に例示した破損したケーソン１を補修するには、第１過程として図１に示すように、ケーソン１の上面である上部コンクリート６から中詰材Ｓが流出した隔室１０に貫通穴７を穿設する。この貫通穴７は作業者が往来可能な大きさとする。貫通穴７から作業者である潜水士が隔室１０に潜入して隔室１０の壁面Ｗの上部に前もってアンカー１７を固設しておくことが好ましい。
【００１５】
第２過程として図２に示すように、芯棒１１に一端部を固定して巻回した土木シート１３を貫通穴７から隔室１０に搬入する。これによって、広い面積の土木シート１３をコンパクトにして容易に搬入することができる。土木シート１３の巻回方法は特に限定されず、芯棒１１に一端部が固定されてコンパクトに巻回されていればよい。尚、本発明において巻回するとは、小さく折り畳むことを含むものである。
【００１６】
側壁２の外側の破損部５周辺に空間的な余裕があれば、土木シート１３を隔室１０に搬入する前に、予め破損部５を覆うように側壁２の外側に防波板８をアンカー９等で固定しておくと、隔室１０に海水が流入するのを防ぐことができ、作業を容易にすることができる。
【００１７】
第３過程として図６に示すように、土木シート１３の一端部を固定した芯棒１１を予め固設しておいたアンカー１７に取付けてから土木シート１３を展開する。芯棒１１を固定してから巻回した土木シート１３展開するので、潜水作業でも容易である。
【００１８】
土木シート１３は、打設するコンクリートＣを保持可能な材質からなっており、いわゆるジオテキスタイルと呼ばれる土木等の用途に使用される高分子材料からなる織布や不織布、編物等を用いることができる。その他に、ゴム製シートや各種樹脂シートなどコンクリートＣを保持可能なものであれば使用することができる。
【００１９】
土木シート１３の上端部は複数の通し穴１５を有するベルト状になっており、この通し穴１５に紐等を通して結束して芯棒１１に固定されている。固定手段は、これに限らず一般的な手段を用いることができる。
【００２０】
土木シート１３を張設するのは、少なくとも破損部５がある壁面Ｗ、即ち、隔室１０の破損した壁面Ｗとして、土木シート１３で破損部５を塞ぐようにするが、隔室１０の四方の壁面Ｗに張設し、壁面Ｗに沿った筒状に形成することが好ましい。
【００２１】
具体的には、図５に例示するように、隔室１０の四方それぞれの壁面Ｗに張設する４枚の土木シート１３ａ〜１３ｄの両端部にファスナ１４を設け、ファスナ１４で端部どうしを連結して筒状に形成する。このように張設することによって、土木シート１３ａ〜１３ｄの位置ずれを生じにくくして、より安定して張設できる。
【００２２】
４枚の土木シート１３ａ〜１３ｄのうち、破損部５を塞ぐ一枚の土木シート１３の引張り強度を他の土木シート１３よりも高くしておくのが好ましい。また、土木シート１３ａ〜１３ｄに十分な補強をする場合には、補強ベルト１６が設けられる。
【００２３】
土木シート１３の下端部を折りこみ可能としておくと、図３に示すように、折り込んだ下端部を底面Ｌに沿わせ、押え具１２等で固定することでコンクリートＣ打設時の土木シート１３のめくれを防止して、確実に隔室１０にコンクリートＣを充填することが可能となる。それぞれの土木シート１３の下端部を密に連結して袋状に形成すると、打設するコンクリートＣのもれを最小限にすることができる。
【００２４】
以上のように、土木シート１３によって隔室１０側から破損部５を塞ぐ第３過程が完了する。
【００２５】
第４過程として図４に示すように、貫通穴７から隔室１０にコンクリートＣを打設して、隔室１０および貫通穴７を埋める。コンクリートＣの打設は、一度でも複数回に分けてもよい。破損部５は土木シート１３で塞がれているので、コンクリートＣが外部に流出することはなく、隙間なくコンクリートＣが充填されて固化する。これによって、中詰材Ｓの流出で軽くなったケーソン１は、コンクリートＣで所定重量に補完されて安定化して補修される。
【００２６】
実施形態では、土木シート１３の隔室１０の壁面Ｗへの固定にアンカー１７を用いているが、これに限定されず、他の固定具を使用することができる。また、連結する土木シート１３の数や形状は、破損部５や隔室１０等の条件によって適宜決定することができる。
【００２７】
コンクリートＣの打設前に破損部５からの海水の流入が激しい場合は、隔室１０の壁面Ｗに張設した土木シート１３が破損または脱落し易くなる。このような場合は図７に示すように、まず、破損部５にファスナ１４が位置するように土木シート１３を隔室１０の壁面Ｗに張設し、ファスナ１４を下方から破損部５の下端部まで締め、締めた高さまでコンクリートＣを打設する。次に、コンクリートＣの養生後、ファスナ１４で破損部５を塞ぐように土木シート１３の上端部まで締め、隔室１０の残りの部分にコンクリートＣを打設する。
【００２８】
この補修方法によれば、破損部５から隔室１０に流入してくる海水による土木シート１３のずれを最小限にしつつ、作業を効率化して補修を完了させることができる。
【図面の簡単な説明】
【００２９】
【図１】本発明の補修方法の第１過程を説明する縦断面図である。
【図２】本発明の補修方法の第２過程を説明する縦断面図である。
【図３】本発明の補修方法の第３過程を説明する縦断面図である。
【図４】本発明の補修方法の第４過程を説明する縦断面図である。
【図５】本発明の補修体の一例を示す斜視図である。
【図６】本発明の補修体を構成する土木シートを隔室の壁面に固定する状態を示す説明図である。
【図７】破損部からの海水の流入が激しい場合の補修方法において、土木シートのファスナを締める状態を例示する説明図である。
【図８】破損したケーソンを示す正面図である。
【図９】図７のＡ−Ａ断面図である。
【符号の説明】
【００３０】
１  ケーソン    ２  港外側側壁    ３  港内側側壁    ４  隔壁
５  破損部
６  上部コンクリート（ケーソンの上面）
７  貫通穴
８  防波板      ９  防波板用アンカー
１０  隔室
１１  芯棒
１２  押え具
１３、１３ａ〜１３ｄ    土木シート
１４  ファスナ
１５  通し穴
１６  補強ベルト
１７  土木シート固定用アンカー
１８  消波ブロック
Ｓ  中詰材
Ｃ  コンクリート
【図１】
2006219851.tif 000003
【図２】
2006219851.tif 000004
【図３】
2006219851.tif 000005
【図４】
2006219851.tif 000006
【図５】
2006219851.tif 000007
【図６】
2006219851.tif 000008
【図７】
2006219851.tif 000009
【図８】
2006219851.tif 000010
【図９】
2006219851.tif 000011